(57)【特許請求の範囲】
【請求項１】
光学系を介して結像した画像を電気信号である画像情報に変換する高画素の撮像手段と、
上記撮像手段の出力信号である画像情報を一時的に記憶するとともに、この画像情報を読出して磁気記録系に送出する記憶手段と、
上記記憶手段が送出する画像情報を記録媒体に磁気記録する磁気記録系と、
静止画モード若しくは動画モードの何れか一方を選択する画像モード選択手段と、
上記画像モード選択手段が静止画モードを選択しているときには上記撮像手段が送出した画像情報の全部を上記記録媒体の複数のトラック分に対応させるとともにこの記録媒体の１トラック分づつに分割して読出す一方、上記画像モード選択手段が動画モードを選択しているときには上記撮像手段が送出した画像情報の一部を選択して上記記録媒体の１トラックに対応させて読出すよう上記記憶手段を制御する制御手段とを有することを特徴とする静止画及び動画記録用の一体形ビデオカメラ。
【請求項２】
記録媒体の複数トラックに分割して１枚の静止画を磁気記録するとともに、同記録媒体の１トラック毎に割当てた動画を磁気記録した場合の上記静止画及び動画の再生装置において、
静止画モード若しくは動画モードの何れか一方を選択する画像モード選択手段を有し、
画像モード選択手段で静止画モードを選択した場合には再生信号を一旦記憶手段に記憶し、分割記録した静止画情報を１枚の静止画情報に組立てて表示手段に表示するとともに、画像モード選択手段で動画モードを選択した場合には再生信号を一旦記憶手段に記憶して、又は直接表示手段に表示するように構成したことを特徴とする再生装置。
【請求項３】
［請求項１］に記載する静止画及び動画記録用の一体形ビデオカメラに［請求項２］に記載する再生装置を搭載したことを特徴とする静止画及び動画記録・再生用の一体形ビデオカメラ。
【発明の詳細な説明】
【０００１】
【産業上の利用分野】
本発明は静止画及び動画記録用の一体形ビデオカメラ及び再生装置に関し、特に動画に対し相対的に高画質の静止画を得る場合に適用して有用なものである。
【０００２】
【従来の技術】
従来、一体形ビデオカメラにおいて、静止画と動画とを記録・再生し得るものが提案されている。この種の一体形ビデオカメラの一例としては、８ｍｍビデオフォーマットのＰＣＭ領域に静止画を分割して記録するものを挙げることができる。この場合の記録は、動画及び静止画領域に表査線が５２５本の信号をそれぞれ記録するものである。
【０００３】
【発明が解決しようとする課題】
上述の如き従来技術においては、静止画であっても動画と同様の撮像素子を用いている。すなわち、静止画用としては画素数が少なく、この結果静止画の画質はあまり良いものが得られない。
【０００４】
一方、画素数が従来より多い撮像素子を用いたとしても記録方式全体の仕様を変えない限り画質の向上は然程望めない。ＮＴＳＣ方式の表査線数は５２５本であり、この数に規制されて画素数も殆んど決定されているに等しいからである。
【０００５】
本発明は、上記従来技術に鑑み、動画は従来と同程度の画素数で記録するとともに、静止画は動画よりも高画質のものを従来の記録方式の仕様を変えることなく得ることができる静止画及び動画記録用の一体形ビデオカメラ及び再生装置を提供することを目的とする。
【０００６】
【課題を解決するための手段】
上記目的を達成する第１の発明の構成は、
光学系を介して結像した画像を電気信号である画像情報に変換する高画素の撮像手段と、
上記撮像手段の出力信号である画像情報を一時的に記憶するとともに、この画像情報を読出して磁気記録系に送出する記憶手段と、
上記記憶手段が送出する画像情報を記録媒体に磁気記録する磁気記録系と、
静止画モード若しくは動画モードの何れか一方を選択する画像モード選択手段と、
上記画像モード選択手段が静止画モードを選択しているときには上記撮像手段が送出した画像情報の全部を上記記録媒体の複数のトラック分に対応させるとともにこの記録媒体の１トラック分づつに分割して読出す一方、上記画像モード選択手段が動画モードを選択しているときには上記撮像手段が送出した画像情報の一部を選択して上記記録媒体の１トラックに対応させて読出すよう上記記憶手段を制御する制御手段とを有することを特徴とする。
【０００７】
第２の発明の構成は、
記録媒体の複数トラックに分割して１枚の静止画を磁気記録するとともに、同記録媒体の１トラック毎に割当てた動画を磁気記録した場合の上記静止画及び動画の再生装置において、
静止画モード若しくは動画モードの何れか一方を選択する画像モード選択手段を有し、
画像モード選択手段で静止画モードを選択した場合には再生信号を一旦記憶手段に記憶し、分割記録した静止画情報を１枚の静止画情報に組立てて表示手段に表示するとともに、画像モード選択手段で動画モードを選択した場合には再生信号を一旦記憶手段に記憶して、又は直接表示手段に表示するように構成したことを特徴とする。
【０００８】
【作用】
上記構成の第１の発明によれば、静止画モードにおいては高画素の撮像手段の画素数を反映した画像情報を記録媒体の複数トラックに分割して記録する一方、動画モードにおいては、上記撮像手段の画素数よりも少ない画素数の撮像手段の画像情報と等価な画像情報を記録媒体の１トラックに割当てて記録する。
【０００９】
【実施例】
以下本発明の実施例を図面に基づき詳細に説明する。本実施例に係る一体形ビデオカメラは、記録・再生機能を有するビデオカメラである。
【００１０】
図１に示すように、撮像素子１は、レンズ等の光学系２を介して結像した画像を電気信号である画像情報に変換する、通常のＮＴＳＣ方式の一体形ビデオカメラの撮像素子（ＣＣＤ）の画素数よりも高画素の撮像素子である。記憶手段はバッファメモリ３及び表示用メモリ４から成る。バッファメモリ３は、撮像素子１の出力信号を、同期信号発生器５が発生する同期信号に基づきＡ／Ｄ変換器６でディジタル信号に変換して得る画像情報を一時的に記憶するものである。表示用メモリ４は、同期信号発生器５が発生する同期信号に基づくＡ／Ｄ変換器６における画像情報のディジタル化に同期してバッファメモリ３の記憶内容を読込み、これを記憶するものである。
【００１１】
操作パネル７には、当該一体形ビデオカメラの各種の機能を選択するための操作スイッチが配設してある。これら操作スイッチの一種として画像モード選択スイッチ７ａがある。この画像モード選択スイッチ７ａは当該一体形ビデオカメラの動画モード若しくは静止画モードの何れか一方を選択するもので、この画像モード選択スイッチ７ａで選択したモードを表わすモード信号をシステムコントローラ８に送出する。
【００１２】
システムコントローラ８は、当該一体形ビデオカメラの全体的な制御を司るものである。すなわち、このシステムコントローラ８は磁気記録・再生系の制御とともに、バッファメモリ３及び表示用メモリ４の制御も行なう。
【００１３】
さらに具体的には、静止画モードにおいては、表示用メモリ４に記憶している１枚の画像に対応する画像情報の全画素の全てを読出し、しかもこの読出しは、上記１枚の画像を記録媒体である磁気テープの既存の規格の複数トラックに分割して磁気記録するよう全画素を等分に分割して行なう。
【００１４】
一方、動画モードにおいては、表示用メモリ４に記憶している１枚の画像に対応する画像情報の一部を読出し、しかもこの読出しは、上記１枚の画像が磁気テープの既存の規格の１トラックに割当てられるよう全画素を規則的に間引いて記録する。
【００１５】
磁気記録・再生系９は、既存のものと何ら変わることなく、磁気記録・再生メカデッキ１０、磁気記録・再生処理部１１、記録・再生サーボ部１２及びＤ／Ａ・Ａ／Ｄ変換部１３から成る。
【００１６】
磁気記録・再生メカデッキ１０は、磁気ヘッドが取付けられた回転ドラム、キャプスタンロール等のテープ駆動系、磁気テープのイジェクト、ローディング等を行なう機構部等からなり、その回転ドラムモータ等の駆動部は記録・再生サーボ部１２で所定通り動作するよう制御される。
【００１７】
磁気記録・再生処理部１１はＤ／Ａ・Ａ／Ｄ変換部１３の出力アナログ信号をＦＭ変調して上記磁気ヘッドに供給するとともに、磁気ヘッドで読出したＦＭ信号を復調する等、所定の信号処理を行なう部分である。
【００１８】
表示モニタ部１４は上記磁気ヘッドで読出した画像情報を画面として再生する部分である。すなわち、磁気記録・再生処理部１１で再生処理をされてアナログ信号として復調された画像情報は、Ｄ／Ａ・Ａ／Ｄ変換部１３でディジタル信号に変換され、表示用メモリ４に記憶されるが、静止画モードの場合には、１画面に相当する複数トラック分の情報を表示用メモリ４に記憶した後、表示処理部１５を介して上記複数トラック分の高画質の静止画が表示モニタ部１４に表示される。
【００１９】
一方、動画モードの場合には、１画面に相当する１トラック分の情報を表示用メモリ４に記憶した後、表示処理部１５を介して１トラック分の、既存のものと同程度の画質の動画が表示モニタ１４に表示される。
【００２０】
静止画モードにおける静止画は、印刷装置１６によりプリントアウトすることも、また電送装置１７により電送することもできるように構成してある。
【００２１】
上述の如き再生時の表示用メモリ４の制御もシステムコントローラ８が行なう。
【００２２】
なお、動画の再生の際には磁気記録・再生処理部１１の出力信号を直接、表示処理部１５に供給するように構成しても良い。
【００２３】
上記実施例において画像モード選択スイッチ７ａにより静止画モードを選択した場合には、撮像素子１の画素数に対応する表示用メモリ４に記憶した画像情報の全部が静止画の情報として複数のトラックに分割して記録される。
【００２４】
図２はこのときの記録信号を概念的に示す説明図である。同図に示すように、本例は８トラックに分割した場合であり、図３に示すように、１トラック当り走査線の１２８本を割当てて１０２４本の走査線で１画面を形成する場合である。
【００２５】
一方、画像モード選択スイッチ７ａにより静止画モードを選択した場合には、静止画モードと同様に表示用メモリ４に記憶した画像情報の一部が、この画像情報を規則的に間引くことにより動画の情報として１トラックに割当てて記録される。
【００２６】
再生時には、動画モードでは既存の動画と同程度の画質の動画が再生され、静止画モードでは複数トラックに分割記録した情報を組立てて高画質の静止画が再生される。
【００２７】
【発明の効果】
以上実施例とともに具体的に説明したように、本発明によれば、静止画は高画素の撮像手段の画素数に対応した高画質の画像情報として記録媒体の複数トラックに分割して記録するとともに、動画は上記画素数よりも少ない画素数をもつ撮像素子により得る画質と等価な画質の画像情報として記録媒体の１トラックに記録するようにしたので、既存の記録方式の仕様を変えることなく動画とともにこれよりも高画質の静止画を記録することができる。
【００２８】
したがって、上述の如く記録された静止画及び動画の再生も既存の仕様を変えることなく行なうことができ、この再生により得られる静止画は高画質なものとなる。
【図面の簡単な説明】
【図１】本発明の実施例を示すブロック線図。
【図２】上記実施例における静止画モードでの記録信号を概念的に示す説明図。
【図３】上記実施例における静止画モードでの記録画面を概念的に示す説明図。
【符号の説明】
１  撮像素子
３  バッファメモリ
４  表示用メモリ
７  操作パネル
７ａ  画像モード選択スイッチ
８  システムコントローラ
９  磁気記録・再生系
【図１】
0003554584.tif 000002
【図２】
0003554584.tif 000003
【図３】
0003554584.tif 000004